(57)【要約】【課題】コンセントを含む配線器具の移動や増設を簡単に行うことができるだけでなく、配線器具の移動や増設を上下及び左右の両方向に広範囲に行うことができ、しかも意匠性等にも充分に配慮することができる技術を提供する。【解決手段】住宅等の壁部１に電線のコンセントを含む配線器具２を装備するための壁部配線システムであって、壁部１の面材部分が矩形状に形成された複数の面材パネル３により構成され、各面材パネル３は取付機構５を介して着脱可能に壁部１に取り付けられる。各面材パネル３のうちの少なくとも一つに配線器具２が設けられ、壁部１内には配線器具２に接続する電線が配線されている。【選択図】図１
2008219969.tif 000002
【特許請求の範囲】
【請求項１】
建物内の壁部にコンセントを含む配線器具を装備するための壁部配線システムであって、
前記壁部の面材部分を形成する複数の面材パネルにより構成され、
各面材パネルは取付機構を介して壁面に着脱可能に取り付けられ、
各面材パネルのうちの少なくとも一つに前記配線器具が設けられ、
前記壁部内には前記配線器具に接続する電線が配線されている壁部配線システム。
【請求項２】
前記配線器具は電力用であって、面材パネルに取り付けたコンセントボックスと、このコンセントボックス内に収納され着脱自在に固定されるコンセント本体とを含み、前記コンセントボックス側から延びる電線が前記コンセント本体の入力側端子に、着脱自在な接続端子を介して接続されている請求項１に記載の壁部配線システム。
【請求項３】
前記取付機構は、前記面材パネルの裏面に設けられた複数の突起又は凹部のいずれか一方と、前記壁部内に設けられ、前記面材パネルの突起又は凹部と嵌合する複数の突起又は凹部のいずれか他方を有する取付具と、を備えている請求項１又は２に記載の壁部配線システム。
【請求項４】
前記各面材パネルの装着領域が、前記建物の居室内の腰壁部分に対応して設けられている請求項１〜３の何れかに記載の壁部配線システム。
【発明の詳細な説明】
【技術分野】
【０００１】
本発明は、戸建て住宅や集合住宅等の壁部分に、電気器具のプラグの差込口である電源コンセント（以下、単に「コンセント」という）を含む配線器具を装備する技術として有効な壁部配線システムに関する。
【背景技術】
【０００２】
これまでコンセントは、分電盤からの電線の所定の場所に取り付けられるのが普通であったが、例えばパソコンの普及に伴いプリンターやスキャナその他のパソコン周辺機器が併用されるようになり、コンセントの数が不足することがあった。そのような場合はテーブルタップを使い、一つのコンセントから複数の電気器具に接続することが行われている。
【０００３】
このとき、もしもテーブルタップの容量を超えてコンセント回路に過電流が流れると、ブレーカーが落ちる可能性が高まる。そして、ブレーカーによるコンセント回路の遮断がされるぎりぎりまで使い続けると、発熱により配線が焼け、ショートや漏電の虞がある。
またそれらの二次災害として、感電や火災といった事が起こり得る。このような事態を招来しないためには、コンセントの一部屋当たりの設置数を増加して必要数を確保すればよい。
【０００４】
しかし、コンセントの増設工事を行うには電気工事士によらねばならず、また当該工事では、分電盤からの電線の設置経路にある壁の取壊しや配線の煩わしさを伴うため、コンセントを増設することは簡単ではなかった。特にマンション等の集合住宅では、工事に伴う騒音により近隣への配慮を要する場合があった。
【０００５】
特許文献１には、壁等に遮蔽することなく敷設することが可能で、コンセント位置の移動、増設にも柔軟に対応でき、さらに、配線の脱着作業性の向上、及び一次側の接続工事以外はユーザが自由に移動、増設可能な配線装置の技術が記載されている。
【特許文献１】実用新案登録第３１２２３６１号公報
【発明の開示】
【発明が解決しようとする課題】
【０００６】
特許文献１に記載の技術では、その構造上、次のような点で解決すべき課題がある。第１に、ユーザが自由に移動、増設可能な配線装置を建物内の幅木部分に組み込んだ構造となっているため、それよりも高い位置にコンセントを配置することができない。即ち、配線器具の移動方向や増設方向が一方向に限られてしまう。第２に、幅木部分にコンセントを配置する構造とした場合、幅木に対応する部材を厚くするか、コンセントを幅木部材から突出させる構造となり、壁面を含む室内の意匠性を低下させる問題がある。
【０００７】
本発明の課題は、コンセントを含む配線器具の移動や増設を簡単に行うことができるだけでなく、配線器具の移動や増設を上下及び左右のいずれの方向にも広範囲に行うことができ、しかも、意匠性等も充分に配慮できる技術を提供するものである。
【課題を解決するための手段】
【０００８】
前記課題を解決するため、本発明では以下の手段を採用した。
本発明は、建物内の壁部に電線のコンセントを含む配線器具を装備するための壁部配線システムであって、前記壁部の面材部分を形成する複数の面材パネルにより構成され、各
面材パネルは取付機構を介して着脱可能に取り付けられ、各面材パネルのうちの少なくとも一つに前記配線器具が設けられ、前記壁部内には前記配線器具に接続する電線が配線されていることを特徴とする。
【０００９】
前記複数の面材パネルは、矩形の他、複数を組合せることで壁面を形成できるものであれば他の形状であってもよい。
本発明において、前記取付機構は、前記面材パネルの裏面に設けられた複数の突起又は凹部のいずれか一方と、前記壁部内に設けられ、前記面材パネルの突起又は凹部と嵌合する複数の突起又は凹部のいずれか他方を有する取付具と、を備えていることが望ましい。
このようにすれば、取付機構の構造を簡易にして製作性を高めることができる。突起と凹部は互いに嵌合すればよく、これらは面材パネルと壁部内のどちら側に配置してもよい。
上記のように構成すると、コンセントを含む配線器具の移動や増設を簡単に実施することができ、また、配線器具の移動や増設を上下及び左右のいずれの方向にも広範囲に行うことができる。
【００１０】
本発明において、前記配線器具は電力用であって、前記面材パネルに取り付けたコンセントボックスと、このコンセントボックス内に収納され着脱自在に固定されるコンセント本体とを含み、前記コンセントボックス側から延びる電線を前記コンセント本体の入力側端子に、着脱自在な接続端子を介して接続することができる。
【００１１】
このように構成すれば、配線器具付き面材パネルの着脱作業を次のような手順で実施できる。先ず、前記接続端子を外してコンセントボックスからコンセント本体を取り出す。次に、前記コンセントボックスと共に面材パネルを壁面から外すことで、その面材パネルが装着されていた部分から順番に、配線器具の装備されていない面材パネルの着脱作業を行うことができる。したがって、容易に配線器具付きの面材パネルを所望の位置に移設することが可能である。
【００１２】
前記各面材パネルの装着領域としては、例えば、住宅の居室内に設けられる腰壁部分に対応させることが好適である。この場合は、腰壁のデザインに類似させて、意匠性等にも充分に配慮することが可能である。特に、腰壁として、建物の構造体と分離することで、面材パネルの大きさやデザインの自由度を拡げることができる。
【発明の効果】
【００１３】
本発明によれば、コンセントを含む配線器具の移動や増設を簡単に実施することが可能である。また、配線器具の移動や増設を上下及び左右のいずれの方向にも広範囲に行うことができる。
【発明を実施するための最良の形態】
【００１４】
以下、本発明の実施の形態について図面を参照して説明する。
図１〜図６に示されるのは、本発明に係る壁部配線システムを、軸組構造の木質系建物である集合住宅又は戸建て住宅に適用した例である。この壁部配線システムは、壁部１に電線のコンセントを含む配線器具２を装備するための壁部配線システムであって、このシステムは、壁部１に設けた腰壁に対応する部分に、面材部分が矩形状に形成された複数の面材パネル３を配して構成される。各面材パネル３は所定の取付機構５を介して壁面に着脱可能に取り付けられている。なお、前記面材パネル３の大きさは、例えば、一辺が１７．５ｃｍの正方形とすることができ、この面材パネルを連ねて壁面を形成する。
【００１５】
そして、各面材パネル３のうちの少なくとも一つに配線器具２が設けられ、壁部１内には配線器具２に接続する電線６（図３参照）が配線されている。
次いで、これらの詳細について説明する。
【００１６】
この実施例では、壁部１内に相互に間隔をおいて配置される複数の間柱４、４（図３参照）を有する軸組構造の木質系戸建て住宅が例示されている。各面材パネル３は平面正方形であって、隣り合う間柱４、４間に設置することができる大きさに形成されている。
【００１７】
面材パネル３を形成する素材としては、適度な強度を有するものであれば特に限定されない。素材としては木製や樹脂製のものが一般的であるが、内装材を兼ねるものが特に好ましい。各面材パネル３の装着領域（装着範囲）は、図１に示すように、住宅の居室Ａ内に設けられ腰壁部分に対応するように設けられる。
【００１８】
また、この面材パネル３を壁面に取り付けるための取付機構５は、次のような構造である。
面材パネル３はその裏面に複数の突起３１を備える一方、面材パネル３が固定される取付具３３が壁部１内に設けられている。取付具３３は面材パネル３の両端に当接するように、面材パネル３の幅よりも狭い間隔で並設され、図３（ｂ）に示すように、隣接する他の面材パネル３をも支持可能な幅に形成されている。すなわち、取付具３３は、それぞれが面材パネル３の幅よりも狭い間隔で配置された間柱４に沿って上下に延びる帯板状に配置され、図５に示すように、その表面側に突起３１が嵌り込む嵌合凹部３２が上下に一定間隔をおいて形成されている。この取付具３３は、間柱４、４の対向する側面にビス４１等（図５参照）によって固定されている。また、取付具３３には、これを間柱４に対して安定状態で固定できるように、間柱４の角部に合致したＬ字状の係合片３４が設けられている。
【００１９】
さらに取付具３３は、その左右両側にパネルの上下方向の幅に対応して、前記突起３１に嵌合する複数の突起３１が設けられている。したがって、面材パネル３は、並設された取付具３３間に掛け渡されるようにして、左右上下方向に連続して配置されて壁面を形成する。なお、突起３１と凹部３２は、互いに入れ替わる位置に設けられていてもよい。この例では、各突起３１は、面材パネル３の裏面側の四隅近くにそれぞれ設けられ、一つの面材パネル３に対して４つ設けられている。
【００２０】
面材パネル３の突起３１は円柱状であって、その基端部分には環状溝３１ａが形成されている。一方の取付具３３の嵌合凹部３２は、円柱状の突起３１が緊密に嵌り込む円形状の嵌合凹部３２として形成されている。さらに、この嵌合凹部３２の口縁部分には、突起３１の環状溝３１ａに嵌り込んで係合するフック部分３２ａが設けられている。これにより、面材パネル３が取付具３３から容易に離脱しないように配慮している。なお、特に図示していないが、各突起３１の先端部は嵌合凹部３２内に挿入し易いように丸めておくことが望ましい。
【００２１】
図２及び図７に示すように、配線器具２は、この実施例の場合、電力用のコンセントである。このコンセントは、コンセント本体２３と、このコンセント本体２３を取り囲むように一体に配されたコンセントプレート２２とを有している。また、面材パネル３の開口部３ａに対応するように一面が開口したコンセントボックス２１が、前記面材パネル３に固定されている。
【００２２】
図３及び図７に示すように、面材パネル３の中央部に開けられた穴３ａに合致させてコンセントボックス２１の開口側が臨み、この開口側端部が面材パネル３に図示しないビス等により固定されている。そして、図７に示すように、コンセントプレート２２が、面材パネル３の開口部３ａとコンセントボックス２１の開口側とを覆い、かつ、コンセントボックス２１内にコンセント本体２３が収納されるように、コンセントプレート２２の上端２
２ａ及び下端２２ｂが面材パネル３の表面に、ビス止めや嵌め込み等の手段によって装着される。
【００２３】
また、コンセントボックス２１内には、図６に示すように、面材パネル３を取り外す際に利用する突起状の取っ手２１ａ、２１ａが、左右の対向する内壁面にそれぞれ設けられている。この取っ手２１ａ、２１ａは、コンセントボックス２１の左右内壁面の上下方向に所定の長さに亘り突出して形成されている。
【００２４】
一方、壁部１内には配線器具２に接続する複数の電線が配線され、図３（ａ）及び図７に示すように、複数の電線のうち一つの電線６が、コンセントボックス２１の上下面にそれぞれ設けた貫通孔２６を介してコンセントボックス２１内に導かれ、コンセント本体２３の入力側端子２４に接続されている。コンセントボックス２１内の電線６にはワンタッチ式接続端子６１を有するキャプタイヤケーブルが用いられ、コンセント本体２３の入力側端子２４にワンタッチで接続可能である。
【００２５】
なお、面材パネル３としては、図２に示すように開口部３ａを有して配線器具２を装着可能なものと、開口部３ａがなく配線器具２が装着されないものに区別される。さらに、配線器具２が装着されない面材パネル３に関しては、着脱可能なものに加え、この実施例では着脱不可能なものも準備されている。着脱不可能な面材パネル３としては、例えば、上下一行と、壁際一列（入隅、出隅を含む）を挙げることができる。
【００２６】
配線器具２としては、低圧屋内配線用電線（電力線用）に限らず、図示しない電信線・光ケーブル・同軸ケーブル、その他の弱電流電気の伝送に使用する弱電流電線等の配線器具も例示することができる。従って、面材パネル３の配線器具２は電話やテレビ、ＬＡＮケーブル等の通信線用の配線器具も必要に応じて同一面材パネル３に、あるいは別の面材パネル３に装備される。
【００２７】
このように構成された住宅内の壁部配線システムでは、電力線のコンセントを含む配線器具２を、例えば図８〜図１１に示すような方法で容易に移設あるいは増設することができる。
【００２８】
図８（ａ）において、配線器具２を矢印で示す部分へ移設する場合には、先ず、該当する配線器具のキャプタイヤケーブルからなる電線６をコンセント本体２３の入力側端子２４から取り外し、次に図８（ｂ）に示すようにコンセントプレート２２を、コンセント本体２３と共に面材パネル３から外す。
【００２９】
続いて、面材パネル３と一体のコンセントボックス２１内の取っ手２１ａに手指を掛けるようにして持ち、図９（ｃ）に示すように、突起３１と嵌合凹部３２の結合を解除してコンセントボックス２１を面材パネル３と共に引き抜き、壁部から取り外す。
【００３０】
次に、図９（ｄ）に示すように、配線器具２付きの面材パネル３と移動先の面材パネル３との間の面材パネル３（横一列の二個と下方の一個）を、同様にして順次取り外し、さらに、図１０（ｅ）に示すように、移動先の面材パネル３を取り外す。次いで、電線６を移動先の面材パネル３付近まで移動させておく。この電線６の移動において、間柱４を越える場合には、各間柱４に予め設けておいた貫通穴（図示せず）を利用して配線する。ここで、移動先に電線６が予め配線されている場合にはこれらの作業は不要である。
【００３１】
次に、図１０（ｆ）に示すように、最初に取り外した配線器具２付き面材パネル３を、移動先の面材パネル３と交換して取り付け、壁部の面材パネルを取り付けていない部分から見えるコンセント本体２３に電線６を接続する。
【００３２】
次いで、図１１（ｇ）に示すように、取り外した各面材パネル３を順次、所定位置に嵌め込み、また、図１１（ｈ）に示すように最初のコンセントが装着された面材パネルがあった場所に、コンセントを装着しない面材パネル３を取り付けることにより、配線器具付き面材パネルの移設作業を終了する。
なお、増設作業においては、配線器具２が装備された別の面材パネル３を、所定の場所のコンセントを装着しない面材パネル３と交換するだけで、簡単に増設することができる。その場合は、予備の電線６を予め壁部１内に複数本配線しておくことが好ましい。
本実施の形態によれば、配線器具２を装備した面材パネル３の着脱作業は、コンセントボックス２１内の突起状の取っ手２１ａに手指を掛けて持ち、コンセントボックス２１と共に面材パネル３を取り外し、または装着することで容易に実施できる。
【００３３】
また、取り外した面材パネルが装着されていた部分から順番に、配線器具の装備されていない面材パネルの着脱作業も順次、行うことができるので、配線器具を装備した面材パネルを所望の位置に移設することが容易である。
【図面の簡単な説明】
【００３４】
【図１】本発明の実施例に係る住宅内の壁部配線システムの全体構成を示す斜視図である。
【図２】本発明の実施例に係る住宅内の壁部配線システムの一部の斜視図である。
【図３】本発明の実施例に係る住宅内の壁部配線システムの面材パネルを示す図であり、（ａ）はその断面図、（ｂ）はその正面図である。
【図４】本発明の実施例に係る取付機構の横断面図であり、（ａ）は嵌合凹部に突起が結合する前の状態であり、（ｂ）はそれらが結合した状態を示す。
【図５】本発明の実施例に係るもので、（ａ）は取付機構の縦断面図を示し、（ｂ）は（ａ）のｂ部分の拡大図を示している。
【図６】コンセントボックスの斜視図である。
【図７】コンセント本体をコンセントボックスに装着する状態を示す縦断面図であり、（ａ）は装着前の状態、（ｂ）は装着後の状態をそれぞれ示す。
【図８】本発明の実施例に係る配線器具の移設方法を示す斜視図であり、（ａ）はコンセントの移設場所を示し、（ｂ）は移設のため面材パネルからコンセント本体を外した状態を示す。
【図９】配線器具の移設方法の一例を示す斜視図であり、（ｃ）はコンセントを装着可能な面材パネルを外した状態を示し、（ｄ）はコンセントを装着しない面材パネルを外した状態を示す。
【図１０】配線器具の移設方法の一例を示す斜視図であり、（ｅ）はコンセントの移設先の面材パネルを外した状態を示し、（ｆ）はコンセントを装着可能な面材パネルの移設先を示す。
【図１１】配線器具の移設方法の一例を示す斜視図であり、（ｇ）は面材パネルが装着される場所を示し、（ｈ）はコンセントを装着可能な面材パネルに替え、コンセントを装着しない面材パネルが装着される状態を示す。る。
【符号の説明】
【００３５】
１    壁部
２    配線器具
３    面材パネル
４    間柱
５    取付機構
６    電線
２１    コンセントボックス
２１ａ  取っ手
２２    コンセントプレート
２３    コンセント本体
２４    入力側端子
３１    突起
３２    嵌合凹部
３３    取付具
Ａ    居室
【図１】
2008219969.tif 000003
【図２】
2008219969.tif 000004
【図３】
2008219969.tif 000005
【図４】
2008219969.tif 000006
【図５】
2008219969.tif 000007
【図６】
2008219969.tif 000008
【図７】
2008219969.tif 000009
【図８】
2008219969.tif 000010
【図９】
2008219969.tif 000011
【図１０】
2008219969.tif 000012
【図１１】
2008219969.tif 000013